(57)【要約】【課題】  本発明は、シャッタ羽根を駆動するためのアクチュエータをシャッタ装置の凸部内部に配設し、凸部の内周側に複数のレンズの内の１つを配設することにより薄型化が可能なシャッタ装置を内蔵したレンズ鏡筒を提供すること。【解決手段】  支持部材であるベース部材２４は、シャッタ羽根２３を支持した状態でレンズ鏡筒２８内部に内蔵されると共に、外周側に内部が空洞状の凸部２４ｂが形成され、空洞状の凸部２４ｂ内部には、シャッタ羽根２３を駆動して開口部２４ａを遮蔽可能なアクチュエータ（図示せず）が配設され、ベース部材２４には、凸部２４ｂの内周側に凹部２６が形成され、この凹部２６に複数のレンズの内の１つを配設した。そのために薄型化が可能である。【選択図】        図１
2005250436.tif 000002
【特許請求の範囲】
【請求項１】
複数のレンズを内部に収納したレンズ鏡筒と、このレンズ鏡筒内部に入射する光を遮蔽可能なシャッタ羽根を有するシャッタ装置とを備え、このシャッタ装置は、前記光を遮蔽可能に前記シャッタ羽根を支持する支持部材を有し、この支持部材は、前記シャッタ羽根を支持した状態で前記レンズ鏡筒内部に内蔵されると共に、外周側に内部が空洞状の凸部が形成され、前記空洞状の凸部内部には、前記シャッタ羽根を駆動して前記遮蔽可能なアクチュエータが配設され、
前記支持部材には、前記凸部の内周側に凹部が形成され、この凹部に前記複数のレンズの内の１つを配設したことを特徴とするシャッタ装置を内蔵したレンズ鏡筒。
【請求項２】
前記複数のレンズは、接眼レンズからなる１群レンズを有し、前記レンズ鏡筒は、所定の口径の開口を有する前面壁が形成され、この前面壁から内側に突出させて前記１群レンズを保持するためのレンズ保持部を形成し、前記レンズ保持部に前記支持部材の前記凹部を挿入したことを特徴とする請求項１記載のシャッタ装置を内蔵したレンズ鏡筒。
【請求項３】
前記複数のレンズは、前記シャッタ羽根を挟んで前記１群レンズと対向する位置に少なくとも２群レンズが積層配置され、前記レンズ鏡筒の内部には、前記２群レンズを所定位置に位置決め可能なレンズ位置決め部が形成されていることを特徴とする請求項２記載のシャッタ装置を内蔵したレンズ鏡筒。
【請求項４】
前記レンズ位置決め部は、前記レンズ鏡筒の内周壁の複数箇所に、前記複数のレンズの光軸と平行方向に延長して凸状に形成され、この凸状の延長下端部によって前記２群レンズを前記位置決め可能になっていることを特徴とする請求項３記載のシャッタ装置を内蔵したレンズ鏡筒。
【請求項５】
前記シャッタ装置には、前記レンズ位置決め部が係合可能な凹状の逃げ部が形成され、前記逃げ部を前記レンズ位置決め部に係合させて前記シャッタ装置を前記レンズ鏡筒の内部に収納すると、前記レンズ位置決め部の前記延長下端部が前記シャッタ装置と面一、または前記シャッタ装置から所定寸法突出するようにしたことを特徴とする請求項４記載のシャッタ装置を内蔵したレンズ鏡筒。
【請求項６】
前記レンズ鏡筒の内周壁には、回り止め部が形成され、前記回り止め部によって、前記レンズ鏡筒内部に内蔵した前記シャッタ装置、および少なくとも前記２群レンズが回り止めされていることを特徴とする請求項４、または５記載のシャッタ装置を内蔵したレンズ鏡筒。
【請求項７】
前記回り止め部は、前記レンズ鏡筒の内周壁に、前記レンズ位置決め部より長くて前記レンズ位置決め部と平行な凸状に形成され、この凸状の前記回り止め部が前記シャッタ装置、および少なくとも前記第２レンズに形成した溝部に係合可能になっていることを特徴とする請求項６記載のシャッタ装置を内蔵したレンズ鏡筒。
【請求項８】
前記複数のレンズにおける最後尾のレンズの後方に、ストッパ部材を配設したことを特徴とする請求項１乃至７のいずれかに記載のシャッタ装置を内蔵したレンズ鏡筒。
【請求項９】
請求項１〜８記載のシャッタ装置を内蔵したレンズ鏡筒を備え、前記複数のレンズの後方で、前記レンズの光軸上に撮像素子を配設したことを特徴とするカメラ装置。
【発明の詳細な説明】
【技術分野】
【０００１】
本発明は、シャッタ装置を内蔵したレンズ鏡筒およびこれを用いたカメラ装置に係わり、デジタルスチールカメラ等に用いて好適なシャッタ装置を内蔵したレンズ鏡筒およびこれを用いたカメラ装置に関するものである。
【背景技術】
【０００２】
従来のシャッタ装置を内蔵したレンズ鏡筒を、特許文献１に基づいて説明すると、シャッタ装置が組み込まれた、例えばズームレンズ鏡筒は、図５に示すように、前部鏡筒１の前端部側には、平面ガラス２が固定されている。
そして、前部鏡筒１の内部には、ピント調整するための１群レンズ３が、移動枠４に取り付けられている。
前記１群レンズ３を取り付けた移動枠４は、ガイドバー１０、１１に支持されて１群レンズ３の光軸に対して平行移動可能になっている。
【０００３】
また、シャッタ装置５は、ズーミングレンズからなる２群レンズ６直前に位置するように、移動枠７に固定されている。そして、２群レンズ６を取り付けた移動枠７は、シャッタ装置５と共に、１群レンズ３と同様にガイドバー１０、１１に支持されて２群レンズ６の光軸に対して平行移動可能になっている。
また、２群レンズ６の後方には、第３群レンズ８を取り付けた後部鏡筒９が配設されている。
【０００４】
また、シャッタ装置５は、複数のシャッタ羽根（図示せず）を駆動させて、２群レンズ６を透過する光を遮蔽可能または光量調整可能なアクチュエータ（図示せず）が２群レンズ６側である後方側に突出して形成されている。
【特許文献１】特開２０００−３１０８０３号公報
【発明の開示】
【発明が解決しようとする課題】
【０００５】
前述したような従来のシャッタ装置を内蔵したレンズ鏡筒は、シャッタ装置５を２群レンズ６の直前に配置すると共に、複数のシャッタ羽根を駆動するためのアクチュエータ（図示せず）が、２群レンズ側に突出形成されていた。
そのために、２群レンズを薄くして薄型化を行おうとしても、シャッタ装置５から後方側に突出するアクチュエータが邪魔となって、レンズ鏡筒の薄型化の障害となる問題があった。
本発明は、前述したような課題を解決して、シャッタ羽根を駆動するためのアクチュエータをシャッタ装置の空洞状の凸部内に配設し、凸部の内周側に複数のレンズの内の１つを配設することにより薄型化が可能なシャッタ装置を内蔵したレンズ鏡筒を提供することを目的とする。
【課題を解決するための手段】
【０００６】
上記課題を解決するための第１の解決手段として本発明のシャッタ装置を内蔵したレンズ鏡筒は、複数のレンズを内部に収納したレンズ鏡筒と、このレンズ鏡筒内部に入射する光を遮蔽可能なシャッタ羽根を有するシャッタ装置とを備え、このシャッタ装置は、前記光を遮蔽可能に前記シャッタ羽根を支持する支持部材を有し、この支持部材は、前記シャッタ羽根を支持した状態で前記レンズ鏡筒内部に内蔵されると共に、外周側に内部が空洞状の凸部が形成され、前記空洞状の凸部内部には、前記シャッタ羽根を駆動して前記遮蔽可能なアクチュエータが配設され、前記支持部材には、前記凸部の内周側に凹部が形成され、この凹部に前記複数のレンズの内の１つを配設したことを特徴とする。
【０００７】
また、上記課題を解決するための第２の解決手段として、前記複数のレンズは、接眼レンズからなる１群レンズを有し、前記レンズ鏡筒は、所定の口径の開口を有する前面壁が形成され、この前面壁から内側に突出させて前記１群レンズを保持するためのレンズ保持部を形成し、前記レンズ保持部に前記支持部材の前記凹部を挿入したことを特徴とする。
【０００８】
また、上記課題を解決するための第３の解決手段として、前記複数のレンズは、前記シャッタ羽根を挟んで前記１群レンズと対向する位置に少なくとも２群レンズが積層配置され、前記レンズ鏡筒の内部には、前記２群レンズを所定位置に位置決め可能なレンズ位置決め部が形成されていることを特徴とする。
【０００９】
また、上記課題を解決するための第４の解決手段として、前記レンズ位置決め部は、前記レンズ鏡筒の内周壁の複数箇所に、前記複数のレンズの光軸と平行方向に延長して凸状に形成され、この凸状の延長下端部によって前記２群レンズを前記位置決め可能になっていることを特徴とする。
【００１０】
また、上記課題を解決するための第５の解決手段として、前記シャッタ装置には、前記レンズ位置決め部が係合可能な凹状の逃げ部が形成され、前記逃げ部を前記レンズ位置決め部に係合させて前記シャッタ装置を前記レンズ鏡筒の内部に収納すると、前記レンズ位置決め部の前記延長下端部が前記シャッタ装置と面一、または前記シャッタ装置から所定寸法突出するようにしたことを特徴とする。
【００１１】
また、上記課題を解決するための第６の解決手段として、前記レンズ鏡筒の内周壁には、回り止め部が形成され、前記回り止め部によって、前記レンズ鏡筒内部に内蔵した前記シャッタ装置、および少なくとも前記２群レンズが回り止めされていることを特徴とする。
【００１２】
また、上記課題を解決するための第７の解決手段として、前記回り止め部は、前記レンズ鏡筒の内周壁に、前記レンズ位置決め部より長くて前記レンズ位置決め部と平行な凸状に形成され、この凸状の前記回り止め部が前記シャッタ装置、および少なくとも前記第２レンズに形成した溝部に係合可能になっていることを特徴とする。
【００１３】
また、上記課題を解決するための第８の解決手段として、前記複数のレンズにおける最後尾のレンズの後方に、ストッパ部材を配設したことを特徴とする。
【００１４】
また、上記課題を解決するための第９の解決手段として本発明のカメラ装置は、請求項１〜８記載のシャッタ装置を内蔵したレンズ鏡筒を備え、前記複数のレンズの後方で、前記レンズの光軸上に撮像素子を配設したことを特徴とする。
【発明の効果】
【００１５】
本発明に係わるシャッタ装置は、光を遮蔽可能にシャッタ羽根を支持する支持部材を有し、この支持部材は、シャッタ羽根を支持した状態でレンズ鏡筒内部に内蔵されると共に、外周側に内部が空洞状の凸部が形成され、空洞状の凸部内部には、シャッタ羽根を駆動して遮蔽可能なアクチュエータが配設され、
支持部材には、凸部の内周側に凹部が形成され、この凹部に複数のレンズの内の１つを配設したので、複数のレンズの内の１つの厚さ寸法を、シャッタ装置の凹部で相殺することができ、シャッタ装置を内蔵したレンズ鏡筒の薄型化が可能になる。
【００１６】
また、複数のレンズは、接眼レンズからなる１群レンズを有し、前記レンズ鏡筒は、所定の口径の開口を有する前面壁が形成され、この前面壁から内側に突出させて前記１群レンズを保持するためのレンズ保持部を形成し、前記レンズ保持部に前記支持部材の前記凹部を挿入したので、レンズ保持部に凹部を挿入するだけで、レンズ鏡筒にシャッタ装置を取り付けることができる、組み立て性が良い。
【００１７】
また、複数のレンズは、シャッタ羽根を挟んで１群レンズと対向する位置に少なくとも２群レンズが積層配置され、レンズ鏡筒の内部には、２群レンズを所定位置に位置決め可能なレンズ位置決め部が形成されているので、少なくとも２群レンズの外径寸法をシャッタ装置の外径寸法と同じか、小さくすることができ、レンズ鏡筒を小型にできる。
【００１８】
また、レンズ位置決め部は、レンズ鏡筒の内周壁の複数箇所に、複数のレンズの光軸と平行方向に延長して凸状に形成され、この凸状の延長下端部によって２群レンズを位置決め可能になっているので、２群レンズを確実に位置決めすることができる。
【００１９】
また、シャッタ装置には、レンズ位置決め部が係合可能な凹状の逃げ部が形成され、逃げ部をレンズ位置決め部に係合させてシャッタ装置をレンズ鏡筒の内部に収納すると、レンズ位置決め部の延長下端部がシャッタ装置と面一、またはシャッタ装置から所定寸法突出するようにしたので、レンズ鏡筒内部に収納した２群レンズが、シャッタ装置を押圧することがなく、シャッタ羽根の駆動に障害が発生するのを防止することができる。
【００２０】
また、レンズ鏡筒の内周壁には、回り止め部が形成され、回り止め部によって、レンズ鏡筒内部に内蔵したシャッタ装置、および少なくとも２群レンズが回り止めされているので、組立時にシャッタ装置、および少なくとも２群レンズを確実に回り止めして組み立てることができる。
【００２１】
また、回り止め部は、レンズ鏡筒の内周壁に、レンズ位置決め部より長くてレンズ位置決め部と平行な凸状に形成され、この凸状の回り止め部がシャッタ装置、前記第２、第３群レンズに形成した溝部に係合可能になっているので、凸状の回り止め部に溝部をガタなく係合させることにより、シャッタ装置、および少なくとも２群レンズを確実に回り止めすることができる。
【００２２】
また、複数のレンズにおける最後尾のレンズの後方に、ストッパ部材を配設したので、ストッパ部材をレンズ鏡筒に圧入するだけで、複数のレンズをレンズ鏡筒から抜け止めでき、更に組立性が良い。
また、ストッパ部材によって、複数のレンズを抜け止めできるので、組立後のレンズ鏡筒の取り扱いが容易である。
【００２３】
また、本発明のカメラ装置は、請求項１〜８記載の複数のレンズの後方側で、前記レンズの光軸上に撮像素子を配設したので、レンズ鏡筒の薄型化と小型化が可能となり、このようなレンズ鏡筒を用いることにより、薄型、小型のカメラ装置を提供できる。
【発明を実施するための最良の形態】
【００２４】
以下、本発明に関するシャッタ装置を内蔵したレンズ鏡筒およびこれを用いたカメラ装置の実施の形態を図１〜図４に基づいて説明する。図１は本発明の第１の実施の形態のシャッタ装置を内蔵したレンズ鏡筒及びこれを用いたカメラ装置の分解斜視図であり、図２は図１の要部断面図であり、図３は本発明の第２の実施の形態のシャッタ装置を内蔵したレンズ鏡筒及びこれを用いたカメラ装置の分解斜視図であり、図４Ａは図３の要部断面図であり、図４Ｂは図４Ａの下面図である。
【００２５】
まず、本発明のシャッタ装置を内蔵したレンズ鏡筒の第１の実施の形態を、図１、図２に基づいて説明すると、シャッタ装置２１は、外形が円形状に形成されたボトムカバー２２を有し、このボトムカバー２２上には、後述するベース部材２４の開口部２４ａを開閉可能なシャッタ羽根２３が載置されている。
また、シャッタ羽根２３上には、シャッタ羽根２３の支持部材であるベース部材２４が載置され、このベース部材２４の中央部に所定の口径からなる開口部２４ａが形成されている。
【００２６】
また、シャッタ羽根２３は、ベース部材２４の下面側に配置されて、開口部２４ａを開閉可能に支持部材であるベース部材２４に支持されている。
即ち、シャッタ羽根２３は、後述するレンズ鏡筒２８内部に開口部２４ａを介して入射する光を遮蔽可能に支持部材であるベース部材２４に支持されている。
【００２７】
また、ベース部材２４の外周側には、内部が空洞状の凸部２４ｂが形成され、
この凸部２４ｂの空洞内部に、シャッタ羽根２３を駆動して開口部２４ａを遮蔽可能なアクチュエータ（図示せず）が配設されている。
このアクチュエータは、図示を省略するが、例えば薄板状に巻回したコイルと、このコイルと対向する側に配設した薄板状のマグネットとが配設され、コイルに通電することにより発生する磁束が、マグネットの磁束に作用して、マグネットを取り付けたリンク部材がシーソー状に回動するようになっている。
【００２８】
そして、リンク部材が回動すると、リンク部材の端部に形成した羽根支持部がシャッタ羽根２３を操作して、シャッタ羽根２３が開口部２４ａを開閉する方向に駆動するように構成されている。
また、凸部２４ｂの上方には、ドーナッツ状のトップカバー２５が配設されて、凸部２４ｂの上方がトップカバー２５で遮蔽されている。
前記凸部２４ｂの内周部側のベース部材２４上には、所定の大きさで円形状の凹部２６が形成され、この凹部２６中央に開口部２４ａが形成されている。
【００２９】
また、凸部２４ｂからは、内部のアクチュエータに接続されて、アクチュエータを構成するコイルに通電するためのＦＰＣ（フレキシブル基板）２７が引き出しされている。
このようなシャッタ装置２１を内蔵可能なレンズ鏡筒２８は、樹脂材料からなり、下部側に直方体部２８ａと上部側に円筒部２８ｂとが形成されて、内部が空洞状になっている。
【００３０】
そして、円筒部２８ｂの前面壁２８ｃの中央部には、シャッタ装置２１の開口部２４ａより口径が大きな開口２８ｄが形成され、この開口２８ｄに接眼レンズである１群レンズ２９が保持されている。
前記レンズ鏡筒２８には、開口２８ｄが形成された部分の前面壁２８ｃから内側に突出させてレンズ保持部２８ｅが形成され、このレンズ保持部２８ｅに１群レンズ２９が圧入等により保持されるようになっている。
【００３１】
そして、１群レンズ２９を保持した状態のレンズ保持部２８ｅに、凹部２６を挿入して、シャッタ装置２１がレンズ鏡筒２８の空洞内部に内蔵されて組み付けられている。
このような、レンズ保持部２８ｅに取り付けたシャッタ装置２１の下部には、フィルム状の第１スペーサ３０が積層配置されて内蔵されている。
前記第１スペーサ３０の中央部には、シャッタ装置２１の開口部２４ａより口径が大きな開口３０ａが形成されている。
【００３２】
また、第１スペーサ３０の下部には、２群レンズ３１が積層配置されてレンズ鏡筒２８内部に内蔵され、この２群レンズ３１の下方に第２スペーサ３２が積層配置されている。
前記第２スペーサ３２の中央部には、シャッタ装置２１の開口部２４ａより口径が大きな開口３２ａが形成されている。
また、第２スペーサ３２の下部には、複数のレンズの中の最後尾に位置する３群レンズ３３が積層配置され、この３群レンズ３３の下部である後方にストッパ部材３４が配設されている。前記ストッパ部材３４は、圧入等によりレンズ鏡筒２８に取り付けられている。
【００３３】
この時、３群レンズ３３は、外径が２群レンズ３１より大きく形成され、外周部が２群レンズ３１の外周部から外側にはみ出している。
前記２群レンズ３１の外周部から外側にはみ出している３群レンズ３３の外周部が、レンズ鏡筒２８の階段状に形成した内壁に位置決めされている。
そのために、ストッパ部材３４で３群レンズ３３が図示上方に押圧されたとしても、２群レンズ３３及びシャッタ装置２１が上方に押し上げることはない。
【００３４】
そして、レンズ鏡筒２８の空洞内部に内蔵した複数のレンズ２９、３１、３３およびシャッタ装置２１は、ストッパ部材３４により抜け止めされて、本発明のシャッタ装置を内蔵したレンズ鏡筒２８が構成されている。
このようなレンズ鏡筒２８は、シャッタ装置２１の凹部２６に、１群レンズ２９を配置したので、薄型化が可能である。
また、ストッパ部材３４によって、複数のレンズ２９、３１、３３およびシャッタ装置２１を抜け止めすることができ、組立後のレンズ鏡筒２８の取り扱いが容易である。
【００３５】
また、ストッパ３４の下部である後方で、それぞれのレンズ２９、３１、３３の、それぞれ同一線上に位置合わせされた光軸（図示せず）上に、ＣＣＤあるいはＣＭＯＳ等からなる撮像素子３５を配設して、本発明の第１の実施の形態のシャッタ装置を内蔵したレンズ鏡筒２８を用いたカメラ装置３６が構成されている。
このようなカメラ装置３６は、ストッパ部材３４で内部の複数のレンズ２９、３１、３３を抜け止めした状態のレンズ鏡筒２８に撮像素子３５を取り付けるだけで良く、組立が容易であると共に、薄型化が可能である。
【００３６】
尚、本発明の第１の実施の形態の説明では、シャッタ装置２１の凹部２６に、１群レンズ２９を配設したもので説明したが、シャッタ装置２１を２群レンズ３１の後方側に配設して、凹部２６に２群レンズ３１を配設したものでも良い。
あるいは、シャッタ装置２１を３群レンズ３３の後方側に配設して、凹部２６に３群レンズ３３を配設したものでも良い。
即ち、シャッタ装置２１の凹部２６に複数のレンズの内の１つを配設したものであれば良い。
【００３７】
また、本発明の第２の実施の形態を、図３、図４に基づいて説明すると、シャッタ装置４１は、第１の実施の形態と略同形状の外形が円形状に形成されて、最下部にボトムカバー４２と、このボトムカバー４２上に複数枚のシャッタ羽根４３が載置されている。
また、シャッタ羽根４３上には、支持部材であるベース部材４４が載置され、このベース部材４４の中央部に所定の口径からなる開口部４４ａが形成されている。
【００３８】
また、ベース部材４４の外周側には、内部が空洞状の凸部４４ｂが形成され、
この凸部４４ｂの空洞内部に、シャッタ羽根４３を駆動させて開口部４４ａを遮蔽可能なアクチュエータ（図示せず）が配設されている。
また、凸部４４ｂの上方は、ドーナッツ状のトップカバー４５によって遮蔽され、凸部４４ｂの内周部側のベース部材４４上に、円形状の凹部４６が形成され、この凹部４６の中央に開口部４４ａが形成されている。
【００３９】
また、凹部４６の外側の凸部４４ｂからは、内部のアクチュエータに接続されたＦＰＣ（フレキシブル基板）４７が引き出しされている。
このようなシャッタ装置４１の円形状の外周部には、図３、図４Ｂに示すように、３箇所に凹状の逃げ部４１ａが切り欠き形成されると共に、１箇所に凹状の溝部４１ｂが切り欠き形成されている。
【００４０】
また、レンズ鏡筒４８は、樹脂材料からなり、図示上方が前面壁４８ａで遮蔽された円筒部４８ｂ形成され、この円筒部４８ｂの下方が開放されて、レンズ鏡筒４８の内部が空洞状になって、この空洞内部にシャッタ装置４１等を内蔵可能になっている。
そして、前面壁４８ａの中央部には、開口４８ｃが形成され、この開口４８ｃが形成された部分の前面壁４８ａを図示下方側に円形状に突出させて、レンズ保持部４８ｄが形成され、このレンズ保持部４８ｄに、接眼レンズである１群レンズ４９が圧入等で保持されるようになっている。
【００４１】
また、円筒部４８ｂの内周壁４８ｅの複数箇所（図面では３箇所）には、シャッタ装置４１の逃げ部４１ａがガタ係合可能な凸状のレンズ位置決め部４８ｆが形成されている。
このレンズ位置決め部４８ｆは、前面壁４８ａの内面から所定寸法図示下方側に延長して平坦な延長下端部４８ｇが形成されている。
また、円筒部４８ｂの内周壁４８ｅには、レンズ位置決め部４８ｆ以外に、レンズ位置決め部４８ｆと平行方向でレンズ位置決め部４８ｆより長い凸状の回り止め部４８ｈが形成されている。
【００４２】
そして、１群レンズ４９を保持した状態のレンズ保持部４８ｄに、凹部４６を挿入して、シャッタ装置４１をレンズ鏡筒４８の空洞内部に内蔵すると、逃げ部４１ａがレンズ位置決め部４８ｆにガタ係合すると共に、溝部４１ｂが回り止め部４８ｈに係合して、シャッタ装置４１がレンズ鏡筒４８内部で回り止めされた状態で保持可能になっている。
【００４３】
前記レンズ保持部４８ｄに凹部４６を嵌合させて保持したシャッタ装置４１の下部には、２群レンズ５０が積層配置されている。
前記２群レンズ５０は、外径寸法がシャッタ装置４１の円筒部４８ｂの外径寸法と略同等に形成されていると共に、レンズ鏡筒４８の回り止め部４８ｈが係合可能な溝部５０ａが形成されている。
そして、レンズ鏡筒４８の空洞内部に内蔵して、シャッタ装置４１の下部に２群レンズ５０を積層配置すると、溝部５０ａが回り止め部４８ｈにガタなく係合して、２群レンズ５０がレンズ鏡筒４８内部で回り止めされる。
【００４４】
更に２群レンズ５０は、外周部側が３箇所のレンズ位置決め部４８ｆの延長下端部４８ｇに当接して、レンズ鏡筒４８内部の所定位置に位置決めされるようになっている。
また、２群レンズ５０の下部には、複数のレンズの中の最後尾に位置する３群レンズ５１が積層配置されている。
【００４５】
前記３群レンズ５１には、レンズ鏡筒４８の回り止め部４８ｈがガタなく係合可能な溝部５１ａが形成され、レンズ鏡筒４８の空洞内部に内蔵した２群レンズ５０の下部に３群レンズ５１を積層配置すると、回り止め部４８ｈに溝部５１ａがガタなく係合して、３群レンズ５１がレンズ鏡筒４８の空洞内部で回り止めされるようになっている。
また、３群レンズ５１の下部には、ストッパ部材（図示せず）が圧入等で取り付けられて、２群、３群レンズ５０、５１がレンズ鏡筒４８の空洞内部から抜け出すのを防止するようになっている。
【００４６】
このような本発明の第２の実施の形態は、レンズ鏡筒４８にレンズ位置決め部４８ｆを形成しているので、２群レンズ５０の外径寸法をシャッタ装置４１の外径寸法と同じか、それより小さくすることができ、レンズ鏡筒４８の円筒部４８ｂの外径を小さくすることができる。
また、本発明の第２の実施の形態では、レンズ位置決め部４８ｆを３箇所に形成したもので説明したが、３箇所以上の複数箇所に形成しても良い。
また、シャッタ装置４１の逃げ溝４１ａがガタ係合するレンズ位置決め部４８ｆは、シャッタ装置４１より延長下端部４８ｇが若干図示下方に突出しているように説明したが、シャッタ装置４１と延長下端部４８ｇとが面一でも良い。
【図面の簡単な説明】
【００４７】
【図１】本発明の第１の実施の形態の分解斜視図である。
【図２】本発明の第１の実施の形態の要部断面図である。
【図３】本発明の第２の実施の形態の分解斜視図である。
【図４】図３の要部断面図と下面図である。
【図５】従来のシャッタ装置を内蔵したレンズ鏡筒の要部断面図である。
【符号の説明】
【００４８】
２１  シャッタ装置
２２  ボトムカバー
２３  シャッタ羽根
２４  ベース部材
２４ａ  開口部
２４ｂ  凸部
２５  トップカバー
２６  凹部
２７  ＦＰＣ
２８  レンズ鏡筒
２８ａ  円筒部
２８ｂ  直方体部
２９  １群レンズ
３０  第１スペーサ
３１  ２群レンズ
３２  第２スペーサ
３２ａ  開口
３３  ３群レンズ
３４  ストッパ部材
３５  撮像素子
３６  カメラ装置
【図１】
2005250436.tif 000003
【図２】
2005250436.tif 000004
【図３】
2005250436.tif 000005
【図４】
2005250436.tif 000006
【図５】
2005250436.tif 000007